(57)【要約】【課題】  夜間しか点灯されない場合であっても昼間の気温が色温度に反映され、且つ、製造コストを抑えることができる照明器具を提供する。【解決手段】  内部に水銀蒸気の発生源を有する無電極放電灯１と、無電極放電灯１が収納される密閉空間を構成するハウジング４とを有する。ハウジング４内の密閉空間には、無電極放電灯１とともに蓄熱材５が収納されている。無電極放電灯１が夜間にしか点灯されない場合であっても、昼間の熱が蓄熱材５に蓄えられることにより、点灯時のハウジング４内の気温は昼間の気温の影響を受けることになるから、昼間の気温が色温度に反映される。また、光源としては無電極放電灯１のみを用い、且つ、特殊な制御を行っていないので、複数の光源の光出力を個別に制御することで色温度を可変とする場合に比べて製造コストが抑えられる。【選択図】図１
2012151043.tif 000002
【特許請求の範囲】
【請求項１】
少なくとも一部が透光性を有する材料からなる中空のバルブであって水銀蒸気を含む放電ガスと水銀蒸気の発生源とが封入されたバルブを有する放電灯と、
前記バルブ内に放電を発生させる放電手段と、
前記バルブ内に放電が発生したときに発生する紫外線を可視光に変換する蛍光体と、
前記放電灯が収納された密閉空間を構成するハウジングと、
前記密閉空間に収納された蓄熱材とを備えることを特徴とする照明器具。
【請求項２】
前記放電灯は無電極放電灯であって、
前記放電手段は、前記放電灯に近接配置された誘導コイルと、前記誘導コイルに高周波電力を供給する高周波電源とを備えることを特徴とする請求項１記載の照明器具。
【請求項３】
前記誘導コイルを支持するとともに前記ハウジングに連結されたカプラを備え、
前記蓄熱材は前記カプラに熱的に接続されていることを特徴とする請求項２記載の照明器具。
【発明の詳細な説明】
【技術分野】
【０００１】
本発明は、照明器具に関するものである。
【背景技術】
【０００２】
従来から、照明器具として、光色の色温度を変更可能なものが提供されている（例えば、特許文献１及び特許文献２参照）。具体的には、気温が高いときには涼しい印象を与えるように光色は青みがかった寒色寄りに（つまり色温度を高く）変更され、気温が低いときには暖かい印象を与えるように光色は赤みがかった暖色寄りに（つまり色温度を低く）変更される。
【０００３】
従来は、色温度が互いに異なる２個の放電管を切替えて点灯させることで、色温度の変更を実現していた。
【先行技術文献】
【特許文献】
【０００４】
【特許文献１】特開平６−１４０００２号公報
【特許文献２】特開平６−１４０００３号公報
【発明の概要】
【発明が解決しようとする課題】
【０００５】
しかしながら、放電管のような光源を上記のように複数個用いると、製造コストが高くなってしまう。
【０００６】
ここで、バルブ内にアマルガムが配置された一般的な無電極放電灯であっても、気温によってバルブ内の水銀蒸気の分圧が変化することで光色が変化する。しかしながら、街路灯のように屋外で使用される照明器具は夜間にのみ点灯される場合が多く、且つ、夜間は昼間に比べて季節毎の気温の差が小さいので、上記の光色の変化も小さくなってしまう。
【０００７】
本発明は、上記事由に鑑みて為されたものであり、その目的は、夜間しか点灯されない場合であっても昼間の気温が色温度に反映され、且つ、製造コストを抑えることができる照明器具を提供することにある。
【課題を解決するための手段】
【０００８】
本発明の照明器具は、少なくとも一部が透光性を有する材料からなる中空のバルブであって水銀蒸気を含む放電ガスと水銀蒸気の発生源とが封入されたバルブを有する放電灯と、前記バルブ内に放電を発生させる放電手段と、前記バルブ内に放電が発生したときに発生する紫外線を可視光に変換する蛍光体と、前記放電灯が収納された密閉空間を構成するハウジングと、前記密閉空間に収納された蓄熱材とを備えることを特徴とする。
【０００９】
この照明器具において、前記放電灯は無電極放電灯であって、前記放電手段は、前記放電灯に近接配置された誘導コイルと、前記誘導コイルに高周波電力を供給する高周波電源とを備えていてもよい。
【００１０】
さらに、この照明器具において、前記誘導コイルを支持するとともに前記ハウジングに連結されたカプラを備え、前記蓄熱材は前記カプラに熱的に接続されていてもよい。
【発明の効果】
【００１１】
本発明によれば、放電灯が夜間にしか点灯されない場合であっても、昼間の熱が蓄熱材に蓄えられることにより、点灯時のハウジング内の気温は昼間の気温の影響を受けることになるから、昼間の気温が色温度に反映される。また、複数の光源の光出力を個別に制御することで色温度を可変とする場合に比べて製造コストを抑えることができる。
【図面の簡単な説明】
【００１２】
【図１】本発明の実施形態を示す正面図である。
【図２】同上の無電極放電灯と誘導コイルとカプラとを示す断面図である。
【図３】（ａ）（ｂ）はそれぞれ同上の無電極放電灯の光のスペクトルの一例を示す説明図であり、（ｂ）は（ａ）よりもアマルガムの温度が高い状態でのスペクトルを示す。
【図４】同上においてアマルガム付近の伝熱部の温度と無電極放電灯の光色の色温度との関係を示す説明図である。
【図５】同上において蓄熱材の温度と無電極放電灯の光色の色温度との関係を示す説明図である。
【発明を実施するための形態】
【００１３】
以下、本発明を実施するための最良の形態について、図面を参照しながら説明する。
【００１４】
本実施形態は、図２に示すように、無電極放電灯１と、無電極放電灯１に近接配置された誘導コイル２と、誘導コイル２を支持するカプラ３とを備える。
【００１５】
カプラ３は比較的に熱伝導率が高い材料からなる円筒形状の伝熱部３１と、例えばフェライトのような磁性材料からなり伝熱部３１の軸方向の一端部（図での上端部）を囲む筒形状のコア部３２と、伝熱部３１の他端部（図での下端部）を囲む筒形状のベース部３３とを備える。誘導コイル２はコア部３２に巻回されており、誘導コイル２で発生したジュール熱は伝熱部３１とベース部３３とを介して放熱される。
【００１６】
無電極放電灯１は、例えばガラスのような透光性を有する材料からなり外面に接続凹部１０１を有するバルブ１０と、接続凹部１０１の開口を囲む形でバルブ１０に結合した筒状の口金１１とを有する。また、接続凹部１０１の底面には、外側に膨出した排気管１０２が設けられている。排気管１０２は、無電極放電灯１の製造時にバルブ１０内の排気及び希ガスの封入の経路として用いられた後に先端を閉塞されたものである。この排気管１０２がカプラ３の伝熱部３１に挿入され、コア部３２及び誘導コイル２が接続凹部１０１内に配置されることで、誘導コイル２と無電極放電灯１のバルブ１０とは互いに近接配置される。また、バルブ１０内には水銀蒸気と希ガスとを含む放電ガスが封入されている。さらに、排気管１０２内には、水銀蒸気の発生源となるアマルガムが封入された金属製の容器１２が配置されている。また、バルブ１０の内面には保護膜（図示せず）が設けられ、この保護膜には蛍光体膜（図示せず）が積層されている。さらに、誘導コイル２には高周波電源（図示せず）が接続されており、この高周波電源から高周波電力を供給されることにより、誘導コイル２は高周波電磁界を発生させる。すると、この高周波電磁界によってバルブ１０内にアーク放電が発生し、これによって発生した紫外線が上記の蛍光体膜において可視光に変換されることにより、無電極放電灯１が発光する。つまり、誘導コイル２と高周波電源とが放電手段を構成している。
【００１７】
また、無電極放電灯１は、図１に示すような密閉容器であるハウジング４に収納されている。ハウジング４の少なくとも一部は無電極放電灯１の光を透過させるように透光性を有する材料で構成されている。また、カプラ３のベース部３３は、ハウジング４の内面に連結されている。ハウジング４は、例えば地面に立てられたポール６の上に固定される。
【００１８】
ここで、水銀蒸気は、放電によって励起された際、紫外線だけでなく、青色の可視光も発生させる。つまり、無電極放電灯１の光色は、蛍光体膜で発生する可視光の光色（例えば緑や赤）と、上記の青色とが混合されたものとなる。そして、容器１２内のアマルガムの近辺の温度が高いほど、バルブ１０内で水銀蒸気の分圧が高くなることで、無電極放電灯１の光色に占める青色の割合が多くなることにより、無電極放電灯１の光色の色温度は高くなる。例えば、ある温度での無電極放電灯１の光のスペクトルが図３（ａ）のようなものであるとすると、より高い温度での無電極放電灯１の光のスペクトルは図３（ｂ）のようなものとなる。本実施形態において、アマルガムが封入された容器１２の近辺における伝熱部３１の温度と無電極放電灯１の色温度との関係を図４に示す。
【００１９】
また、ハウジング４内の密閉空間には、無電極放電灯１やカプラ３とともに、蓄熱材５が収納されている。蓄熱材５としては、例えば、酢酸ナトリウムや硫酸ナトリウムやパラフィンといった潜熱蓄熱材など、周知の蓄熱材を用いることができる。無電極放電灯１内のアマルガムに対して蓄熱材５の熱を効率よく伝えるために、蓄熱材５は、カプラ３の伝熱部３１に対して熱的に接続されていること（例えば接触していること）が望ましい。
【００２０】
上記構成によれば、無電極放電灯１が夜間にしか点灯されない場合であっても、昼間に熱が蓄熱材５に蓄えられることにより、点灯時のハウジング４内の気温は昼間の気温の影響を受けることになるから、昼間の気温が色温度に反映される。本実施形態における蓄熱材５の温度と無電極放電灯１の光色との関係を図５に示す。
【００２１】
また、光源としては無電極放電灯１のみを用い、且つ、特殊な制御を行っていないので、複数の光源の光出力を個別に制御することで色温度を可変とする場合に比べて製造コストが抑えられる。
【００２２】
なお、無電極放電灯１に代えて熱陰極型の放電灯を用いてもよい。この場合であっても、例えば放電が発生するバルブの内面にある程度の水銀が付着するなど、バルブ内に水銀蒸気の発生源がある場合には、やはりバルブ外（すなわちハウジング４内）の気温によって光色が変化するから、無電極放電灯１の場合と同様に、ハウジング４内に蓄熱材５を配置する意味がある。この場合、放電灯のバルブ内に配置される電極と、この電極に電力を供給する電源回路とが、放電手段を構成する。
【符号の説明】
【００２３】
１  無電極放電灯
２  誘導コイル（放電手段の一部）
３  カプラ
４  ハウジング
５  蓄熱材
１２  容器（水銀蒸気の発生源）
【図１】
2012151043.tif 000003
【図２】
2012151043.tif 000004
【図３】
2012151043.tif 000005
【図４】
2012151043.tif 000006
【図５】
2012151043.tif 000007